【手続補正書】
【提出日】平成17年3月2日(2005.3.2)
【手続補正１】
【補正対象書類名】明細書
【補正対象項目名】発明の名称
【補正方法】変更
【補正の内容】
【発明の名称】印字装置
【手続補正２】
【補正対象書類名】明細書
【補正対象項目名】特許請求の範囲
【補正方法】変更
【補正の内容】
【特許請求の範囲】
【請求項１】
画像情報出力手段から出力された画像情報を印字するためのインク吐出部を有する印字手段と、前記インク吐出部に装着されるキャップ手段とを備えた印字装置において、前記キャップ手段の前記インク吐出部に対する着脱作動を検出し、前記キャップ手段が前記インク吐出部から離れていた時間をキャップアウト時間として検出するキャップ検出手段と、前記キャップアウト時間に基づきインク吐出時間を算出するインク吐出時間算出手段と、前記キャップ手段が前記インク吐出部に装着されていることを前記キャップ検出手段が検出したときに、前記インク吐出時間に基づき、前記インク吐出部から前記キャップ手段にインクを吐出させて保湿状態を維持する保湿制御手段とを設け、前記インク吐出時間に基づき前記インク吐出部より前記キャップ手段にインクを吐出させるとき、前記インク吐出時間が予め設定した１回に吐出できる最長吐出時間を超えると前記保湿制御手段が判断したときは、前記保湿制御手段は前記インク吐出時間算出手段にインク吐出を間欠的に行わせるためのインク間欠吐出時間を算出させるようにしたことを特徴とする印字装置。
【請求項２】
画像情報出力手段から出力された画像情報を印字するためのインク吐出部を有する印字手段と、前記インク吐出部に装着されるキャップ手段とを備えた印字装置において、前記キャップ手段の前記インク吐出部に対する着脱作動を検出し、前記キャップ手段が前記インク吐出部から離れていた時間をキャップアウト時間として検出するキャップ検出手段と、前記キャップアウト時間に基づきインク吐出時間を算出するインク吐出時間算出手段と、前記キャップ手段が前記インク吐出部に装着されていることを前記キャップ検出手段が検出したときに、前記インク吐出時間に基づき、前記インク吐出部から前記キャップ手段にインクを吐出させて保湿状態を維持する保湿制御手段とを設け、前記インク吐出時間に基づき前記インク吐出部から前記キャップ手段にインクを吐出しているときに、前記画像情報出力手段から画像情報の印字指令がきたときには、前記保湿制御手段は前記インク吐出部によるインク吐出を中断させると共に、残りのインク吐出時間を次回のインク吐出時間に加算するように前記インク吐出時間算出手段を制御することを特徴とする印字装置。
【請求項３】
前記インク吐出時間算出手段による前記インク吐出時間は以下の式に基づき設定することを特徴とする請求項１または請求項２に記載の印字装置。
インク吐出時間（秒）＝キャップアウト時間（秒）×吐出時間係数＋前回の残り吐出時間（秒）
【手続補正３】
【補正対象書類名】明細書
【補正対象項目名】０００６
【補正方法】変更
【補正の内容】
【０００６】
【課題を解決するための手段】
上記課題を解決するために、請求項１に記載の発明は、画像情報出力手段から出力された画像情報を印字するためのインク吐出部を有する印字手段と、前記インク吐出部に装着されるキャップ手段とを備えた印字装置において、前記キャップ手段の前記インク吐出部に対する着脱作動を検出し、前記キャップ手段が前記インク吐出部から離れていた時間をキャップアウト時間として検出するキャップ検出手段と、前記キャップアウト時間に基づきインク吐出時間を算出するインク吐出時間算出手段と、前記キャップ手段が前記インク吐出部に装着されていることを前記キャップ検出手段が検出したときに、前記インク吐出時間に基づき、前記インク吐出部から前記キャップ手段にインクを吐出させて保湿状態を維持する保湿制御手段とを設け、前記インク吐出時間に基づき前記インク吐出部より前記キャップ手段にインクを吐出させるとき、前記インク吐出時間が予め設定した１回に吐出できる最長吐出時間を超えると前記保湿制御手段が判断したときは、前記保湿制御手段は前記インク吐出時間算出手段にインク吐出を間欠的に行わせるためのインク間欠吐出時間を算出させるようにしたことを特徴とする。
【手続補正４】
【補正対象書類名】明細書
【補正対象項目名】０００７
【補正方法】変更
【補正の内容】
【０００７】
これにより、キャップからインクを溢れさせて、印字装置の周囲等を汚したりすることがなく乾燥防止のための維持管理が容易になり、高品質で高画質な画像情報の印字を可能とした印字装置を提供することができる。
【手続補正５】
【補正対象書類名】明細書
【補正対象項目名】０００８
【補正方法】変更
【補正の内容】
【０００８】
請求項２に記載の発明は、画像情報出力手段から出力された画像情報を印字するためのインク吐出部を有する印字手段と、前記インク吐出部に装着されるキャップ手段とを備えた印字装置において、前記キャップ手段の前記インク吐出部に対する着脱作動を検出し、前記キャップ手段が前記インク吐出部から離れていた時間をキャップアウト時間として検出するキャップ検出手段と、前記キャップアウト時間に基づきインク吐出時間を算出するインク吐出時間算出手段と、前記キャップ手段が前記インク吐出部に装着されていることを前記キャップ検出手段が検出したときに、前記インク吐出時間に基づき、前記インク吐出部から前記キャップ手段にインクを吐出させて保湿状態を維持する保湿制御手段とを設け、前記インク吐出時間に基づき前記インク吐出部から前記キャップ手段にインクを吐出しているときに、前記画像情報出力手段から画像情報の印字指令がきたときには、前記保湿制御手段は前記インク吐出部によるインク吐出を中断させると共に、残りのインク吐出時間を次回のインク吐出時間に加算するように前記インク吐出時間算出手段を制御することを特徴とする。
【手続補正６】
【補正対象書類名】明細書
【補正対象項目名】０００９
【補正方法】変更
【補正の内容】
【０００９】
これにより、インクの補充が中断されても、次回に残りの分のインクが補充されるので、保湿のためのインクが不足することなく適切な保湿状態が維持され、乾燥防止のための維持管理が容易になり、高品質で高画質な画像情報の印字を可能とした印字装置を提供することができる。
【手続補正７】
【補正対象書類名】明細書
【補正対象項目名】００１０
【補正方法】変更
【補正の内容】
【００１０】
請求項３に記載の発明は、請求項１または請求項２に記載の発明において、前記インク吐出時間算出手段による前記インク吐出時間は以下の式に基づき設定することを特徴とする。
【手続補正８】
【補正対象書類名】明細書
【補正対象項目名】００１１
【補正方法】変更
【補正の内容】
【００１１】
インク吐出時間（秒）＝キャップアウト時間（秒）×吐出時間係数＋前回の残り吐出時間（秒）
これにより、キャップアウト時間とインク吐出時間との関係が一定に保たれ、適切な保湿状態を一定に維持でき、乾燥防止のための維持管理が容易になり、高品質で高画質な画像情報の印字を可能とした印字装置を提供することができる。
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】